(57)【要約】【課題】コピー制御情報にcopy one generationが付与されたコンテンツを２つの記録デバイスを搭載したコンテンツ録画装置で録画する場合、いずれかの記録デバイスで録画し、コンテンツを録画装置外に移動するのにムーブ処理をしなければならない。【解決手段】  記録デバイスＡ１０１、記録デバイスＢ１０３に対応して設けた第１暗号部１１３，第２暗号部１１４に、入力部１１０から入力されたコンテンツのストリームデータをレート変換部１１１で同時に並列で入力するようにする。第１暗号部は、記録デバイスＡと記録メディアａとのＩＤから生成されたコンテンツＩＤを基にした暗号鍵でコンテンツを暗号化し、第２暗号部は、記録デバイスＢと記録メディアｂとのＩＤから生成されたコンテンツＩＤを基にした暗号鍵でコンテンツを暗号化する。記録デバイスＡ、記録デバイスＢは、第１暗号部、第２暗号化部でそれぞれ暗号化されたコンテンツを録画する。【選択図】図１
2006115125.tif 000002
【特許請求の範囲】
【請求項１】
コピー制御情報が付されたコンテンツを録画するコンテンツ録画装置であって、
少なくとも２つの記録デバイスと、
前記コピー制御情報が所定の条件のとき、入力されたコンテンツであるストリームデータを各記録デバイスに対応して、同時に並列に出力するストリームデータ出力手段と、
前記ストリームデータ出力手段から出力されたストリームデータの入力を受け、ストリームデータを異なる暗号鍵で暗号化する前記各記録デバイスに対応して設けられた暗号化部を有する暗号化手段とを備え、
前記各記録デバイスは、自身に対応して設けられた暗号化部で暗号化されたストリームデータを記録することを特徴とするコンテンツ録画装置。
【請求項２】
前記所定の条件とは、ｃｏｐｙ  ｏｎｅ  ｇｅｎｅｒａｔｉｏｎであることを特徴とする請求項１記載のコンテンツ録画装置。
【請求項３】
各記録デバイスを識別するデバイスＩＤを含むデバイス情報を記憶するデバイス情報記憶手段と、
前記各記録デバイスに装着された記録メディアを識別するメディアＩＤを抽出する抽出手段と、
各記録メディアがいずれの記録デバイスに装着されているかを含むメディア情報を記録するメディア情報記録手段と、
各記録デバイスのデバイスＩＤと、装着された記録メディアのメディアＩＤとからコンテンツＩＤを生成するコンテンツＩＤ生成手段とを更に備え、
前記各暗号化部は、対応する記録デバイスのデバイスＩＤを用いたコンテンツＩＤから暗号鍵を生成することを特徴とする請求項２記載のコンテンツ録画装置。
【請求項４】
前記各記録デバイスは、ストリームデータの記録レートの性能が異なり、
前記デバイス情報には、最高記録レートが記載されており、
前記ストリームデータ出力手段は、入力されたストリームデータの入力レートが最高記録レートを超えるときには、前記暗号化部に入力するレートを変換するレート変換部を有することを特徴とする請求項3記載のコンテンツ録画装置。
【請求項５】
前記メディア情報には、記録メディアの残存容量が記録されており、
前記レート変換部は、ユーザから録画時間と記録デバイスとの指定を受けたとき、当該記録デバイスに装着された記録メディアの残存容量を取得して、当該記録メディアにコンテンツを全て記録するための記録レートを計算し、入力されたストリームデータの入力レートが計算値を超えるとき、計算された記録レートに変換することを特徴とする請求項4記載のコンテンツ録画装置。
【請求項６】
各記録デバイスで記録メディアに録画されたコンテンツを識別する録画履歴を記載した履歴情報を記憶する履歴情報記憶手段と、
一の記録デバイスに装着された記録メディアを着脱するとき、当該記録メディアに録画されたコンテンツと同一のコンテンツが録画された他の記録メディアがあるか否かを前記履歴情報を検索して判定する検索判定手段と、
前記検索判定手段であると判定されたとき、当該コンテンツの再生又は編集を禁止するよう前記履歴情報に記録する禁止記録手段を更に備えることを特徴とする請求項４記載のコンテンツ録画装置。
【請求項７】
一の記録デバイスからコンテンツの録画された記録メディアが着脱された後、再度当該記録メディアが一の記録デバイスに装着されたとき、
前記禁止記録手段で履歴情報に記録された再生又は編集の禁止を解除する解除手段を更に備えることを特徴とする請求項6記載のコンテンツ録画装置。
【請求項８】
各記録デバイスで記録メディアに録画されたコンテンツを識別できる録画履歴を記載した履歴情報を記録する履歴情報記録手段と、
一の記録デバイスに装着された記録メディアに録画されたコンテンツの再生又は編集をしているとき、当該コンテンツと同一のコンテンツが録画された他の記録メディアが装着されているか否かを前記履歴情報を検索して判定する検索判定手段と、
前記検索判定手段で他の記録メディアが装着されていると判定されたとき、前記履歴情報の当該メディアの着脱を禁止するよう前記履歴情報に記録する禁止記録手段と、
一の記録デバイスに装着された記録メディアに録画されたコンテンツの再生又は編集が終了したとき、前記禁止記録手段で記録された着脱禁止を解除する解除手段とを更に備えることを特徴とする請求項2記載のコンテンツ録画装置。
【請求項９】
少なくとも２つの記録デバイスを備え、コピー制御情報が付されたコンテンツを録画するコンテンツ録画装置の制御方法であって、
前記コピー制御情報が所定の条件のとき、入力されたコンテンツであるストリームデータを各記録デバイスに対応して、同時に並列に出力するストリームデータ出力ステップと、
前記ストリームデータ出力ステップにおいて出力されたストリームデータの入力を受け、各ストリームデータを異なる暗号鍵で暗号化する暗号化ステップとを有し、
前記各記録デバイスは、自身に対応した暗号鍵で暗号化されたコンテンツを記録することを特徴とするコンテンツ録画装置の制御方法。
【請求項１０】
少なくとも２つの記録デバイスを備え、コピー制御情報が付されたコンテンツを録画するコンテンツ録画装置に、
前記コピー制御情報が所定の条件のとき、入力されたコンテンツであるストリームデータを各記録デバイスに対応して、同時に並列に出力するストリームデータ出力ステップと、
前記ストリームデータ出力ステップにおいて出力されたストリームデータの入力を受け、各ストリームデータを異なる暗号鍵で暗号化する暗号化ステップとを有し、
前記各記録デバイスは、自身に対応した暗号鍵で暗号化されたコンテンツを記録することを実行させるためのプログラム。
【発明の詳細な説明】
【技術分野】
【０００１】
本発明は、デジタル映像音声信号等のストリームデータからなるコンテンツを録画するコンテンツ録画装置及びコンテンツ録画装置の制御方法に関する。
【背景技術】
【０００２】
最近、ＴＶ放送では、地上波デジタル放送が開始され、これに対応して長時間の録画を可能とするコンテンツ録画装置が市場に出回っている。このコンテンツ録画装置には、ＨＤＤディバイスとＤＶＤレコーダとのように複数の記録ディバイスが搭載されている。
一方、デジタルコンテンツのコピーは、ビデオテープによるアナログの複製と異なり、オリジナルと同一品質のコピーが簡単に、しかも、何回でも生成可能である。
【０００３】
そこで、デジタルコンテンツの著作権保護のため、デジタルコンテンツには、コピー制御情報が付与されており、これによって、コピーが制限されている。コピー制御情報は、“ｃｏｐｙ  ｆｒｅｅ（コピー無制限）”、“ｃｏｐｙ  ｎｅｖｅｒ（コピー禁止）”、“ｃｏｐｙ  ｏｎｅ  ｇｅｎｅｒａｔｉｏｎ（コピー１回可）”の３つに区分されている。
【０００４】
“ｃｏｐｙ  ｆｒｅｅ”が付与されたデジタルコンテンツを受信したコンテンツ録画装置は、自由にデジタルコンテンツを録画し、コピーすることができる。“ｃｏｐｙ  ｎｅｖｅｒ”が付与されたデジタルコンテンツは、録画は禁止され、再生のみが許される。
“ｃｏｐｙ  ｏｎｅ  ｇｅｎｅｒａｔｉｏｎ”を付与されたデジタルコンテンツは、一度だけ録画することができ、録画したデジタルコンテンツには“ｃｏｐｙ  ｎｅｖｅｒ”が付与される。
【０００５】
現在、ＨＤＤとＤＶＤレコーダとを搭載した録画装置では、装置が有する記録ディバイスによらず、１つの装置固有の装置ＩＤとコンテンツとを１対１に関連付けて管理している。このため、ＨＤＤでＨＤに記録したコンテンツをＤＶＤにコピーするときは、コンテンツの複製となるため、コピー元のＨＤに記録したコンテンツを消去するムーブをする必要がある。このような技術としては、例えば、特許文献１がある。
【特許文献１】特開２００１−０３９３３９号公報
【発明の開示】
【発明が解決しようとする課題】
【０００６】
ところが、上述のようなコンテンツ録画装置では、“ｃｏｐｙ  ｏｎｅ  ｇｅｎｅｒａｔｉｏｎ”が付与されたコンテンツを内蔵するＨＤＤでＨＤに録画した場合、外部の再生装置でコンテンツを再生しようとするとき、搭載されたＤＶＤレコーダでＤＶＤにＨＤの録画した内容を“ムーブ”する必要がある。このムーブに要する時間が必要となる。
本発明の第１の目的は、このムーブに要する操作や時間をなくすことである。
【０００７】
また、ＨＤＤとＤＶＤレコーダとの間で記録レートが異なる場合、例えばＤＶＤレコーダで記録される記録レートがＨＤＤよりも低いとき、一度記録レートを低レートとしてコンテンツをムーブしてしまうと、元のＨＤＤのＨＤにコンテンツを再び戻したとき、元の高品質画像に戻すことはできないという問題がある。
本発明の第２の目的は、記録レートが異なるコンテンツの記録デバイス間でムーブによる画像の劣化を防止することである。
【課題を解決するための手段】
【０００８】
上記第１の目的を達成するため、本発明は、コピー制御情報が付されたコンテンツを録画するコンテンツ録画装置であって、  少なくとも２つの記録デバイスと、前記コピー制御情報が所定の条件のとき、入力されたコンテンツであるストリームデータを各記録デバイスに対応して、同時に並列に出力するストリームデータ出力手段と、前記ストリームデータ出力手段から出力されたストリームデータの入力を受け、ストリームデータを異なる暗号鍵で暗号化する前記各記録デバイスに対応して設けられた暗号化部を有する暗号化手段とを備え、前記各記録デバイスは、自身に対応して設けられた暗号化部で暗号化されたストリームデータを記録することとしている。
【発明の効果】
【０００９】
上記第１の目的を達成するための構成によって、少なくとも２つの記録デバイスで入力されたコンテンツを録画しているので、一方の記録デバイスで記録されたコンテンツを他方の記録デバイスで再度記録するムーブに要する操作と時間とをなくすことができる。
また、前記所定の条件とは、ｃｏｐｙ  ｏｎｅ  ｇｅｎｅｒａｔｉｏｎであることとしている。
【００１０】
このような構成によって、ｃｏｐｙ  ｏｎｅ  ｇｅｎｅｒａｔｉｏｎのコピー制御情報が付されていても、同一世代のコピーをコンテンツ録画装置に搭載された記録デバイスの数だけ記録メディアに録画することができる。
また、各記録デバイスを識別するデバイスＩＤを含むデバイス情報を記憶するデバイス情報記憶手段と、前記各記録デバイスに装着された記録メディアを識別するメディアＩＤを抽出する抽出手段と、各記録メディアがいずれの記録デバイスに装着されているかを含むメディア情報を記録するメディア情報記録手段と、各記録デバイスのデバイスＩＤと、装着された記録メディアのメディアＩＤとからコンテンツＩＤを生成するコンテンツＩＤ生成手段とを更に備え、前記各暗号化部は、対応する記録デバイスのデバイスＩＤを用いたコンテンツＩＤから暗号鍵を生成することとしている。
【００１１】
このような構成によって、２以上の記録メディアに記録されたコンテンツは、それぞれに異なる暗号鍵で暗号化されているので、各記録メディアごとに著作権の保護を図ることができる。
また、前記各記録デバイスは、ストリームデータの記録レートの性能が異なり、前記デバイス情報には、最高記録レートが記載されており、前記ストリームデータ出力手段は、入力されたストリームデータの入力レートが最高記録レートを超えるときには、前記暗号化部に入力するレートを変換するレート変換部を有することとしている。
【００１２】
このような構成によって、記録デバイスの性能によって、入力されたコンテンツが録画できないことを防止している。
また、前記メディア情報には、記録メディアの残存容量が記録されており、前記レート変換部は、ユーザから録画時間と記録デバイスとの指定を受けたとき、当該記録デバイスに装着された記録メディアの残存容量を取得して、当該記録メディアにコンテンツを全て記録するための記録レートを計算し、入力されたストリームデータの入力レートが計算値を超えるとき、計算された記録レートに変換することとしている。
【００１３】
このような構成によって、各記録メディアの残存容量の範囲内で入力されたコンテンツを録画することができる。
また、各記録デバイスで記録メディアに録画されたコンテンツを識別する録画履歴を記載した履歴情報を記憶する履歴情報記憶手段と、一の記録デバイスに装着された記録メディアを着脱するとき、当該記録メディアに録画されたコンテンツと同一のコンテンツが録画された他の記録メディアがあるか否かを前記履歴情報を検索して判定する検索判定手段と、前記検索判定手段であると判定されたとき、当該コンテンツの再生又は編集を禁止するよう前記履歴情報に記録する禁止記録手段を更に備えることとしている。
【００１４】
このような構成によって、コピー制御情報のｃｏｐｙ  ｏｎｅ  ｇｅｎｅｒａｔｉｏｎを実質的に担保することができる。
また、一の記録デバイスからコンテンツの録画された記録メディアが着脱された後、再度当該記録メディアが一の記録デバイスに装着されたとき、前記禁止記録手段で履歴情報に記録された再生又は編集の禁止を解除する解除手段を更に備えることとしている。
【００１５】
このような構成によって、本発明の第２の目的が達成できる。即ち、一の記録デバイスで録画されたコンテンツの記録レートが他の記録デバイスで録画されたコンテンツの記録レートより低い場合、従来であれば、一の記録デバイスで録画された低画質のコンテンツを他の記録デバイスで再記録することになるので、高画質のコンテンツに戻ることはないけれども、他の記録デバイスで録画された高画質のコンテンツがそのまま残されているので、このような場合にも画質が低下されることがない。
【００１６】
また、各記録デバイスで記録メディアに録画されたコンテンツを識別できる録画履歴を記載した履歴情報を記録する履歴情報記録手段と、一の記録デバイスに装着された記録メディアに録画されたコンテンツの再生又は編集をしているとき、当該コンテンツと同一のコンテンツが録画された他の記録メディアが装着されているか否かを前記履歴情報を検索して判定する検索判定手段と、前記検索判定手段で他の記録メディアが装着されていると判定されたとき、前記履歴情報の当該メディアの着脱を禁止するよう前記履歴情報に記録する禁止記録手段と、一の記録デバイスに装着された記録メディアに録画されたコンテンツの再生又は編集が終了したとき、前記禁止記録手段で記録された着脱禁止を解除する解除手段とを更に備えることとしている。
【００１７】
このような構成によって、コピー制御情報のｃｏｐｙ  ｏｎｅ  ｇｅｎｅｒａｔｉｏｎが付与されているコンテンツを同時に２つの記録メディアで利用することができないので、実質的な著作権保護を図ることができる。
また、本発明は、少なくとも２つの記録デバイスを備え、コピー制御情報が付されたコンテンツを録画するコンテンツ録画装置の制御方法であって、前記コピー制御情報が所定の条件のとき、入力されたコンテンツであるストリームデータを各記録デバイスに対応して、同時に並列に出力するストリームデータ出力ステップと、前記ストリームデータ出力ステップにおいて出力されたストリームデータの入力を受け、各ストリームデータを異なる暗号鍵で暗号化する暗号化ステップとを有し、前記各記録デバイスは、自身に対応した暗号鍵で暗号化されたコンテンツを記録することとしている。
【００１８】
このような方法によって、コンテンツ録画装置において、所定のコピー制御情報が付されているコンテンツのムーブに要する操作や時間を省くことができる。
更に、本発明は、少なくとも２つの記録デバイスを備え、コピー制御情報が付されたコンテンツを録画するコンテンツ録画装置に、前記コピー制御情報が所定の条件のとき、入力されたコンテンツであるストリームデータを各記録デバイスに対応して、同時に並列に出力するストリームデータ出力ステップと、前記ストリームデータ出力ステップにおいて出力されたストリームデータの入力を受け、各ストリームデータを異なる暗号鍵で暗号化する暗号化ステップとを有し、前記各記録デバイスは、自身に対応した暗号鍵で暗号化されたコンテンツを記録することとしている。
【００１９】
このようなプログラムを記録デバイスを２つ以上搭載したコンテンツ録画装置に適用することによって、所定のコピー制御情報が付されているコンテンツのムーブに要する操作や時間を省くことができる。
【発明を実施するための最良の形態】
【００２０】
以下、本発明に係るコンテンツ録画装置の実施の形態について、図面を用いて説明する。（一実施の形態）
図1は、本発明に係るコンテンツ録画装置の一実施の形態の構成図である。
このコンテンツ録画装置は、記録デバイスＡ１０１と、これに装着された記録メディアａ１０２と、記録デバイスＢ１０３と、これに装着された記録メディアｂ１０４と、デバイス情報記憶部１０５と、メディア情報抽出部１０６と、メディア情報記憶部１０７と、履歴情報記憶部１０８と、コンテンツＩＤ生成部１０９と、入力部１１０と、レート変換部１１１と、暗号化部１１２と、暗号化部１１２に備えられた第１暗号部１１３と、第２暗号部１１４と、受付部１１５とを備えている。
【００２１】
記録デバイスＡ１０１は、例えば、ＤＶＤレコーダで実現され、例えば、最高記録レート１１Ｍｂｐｓの性能を有している。記録デバイスＡ１０１は、デバイス（機器）ＩＤとして、ＡＡＡＡで識別される。
記録デバイスＡ１０１は、第１暗号部１１３で暗号化されたコンテンツを記録メディアａ１０２に録画する。
【００２２】
記録メディアａ１０２は、例えば、記録デバイスＡ１０１から着脱自在のＤＶＤ−ＲＡＭで実現される。記録メディアａ１０２は、メディアＩＤとして、ａａａａで識別される。
記録デバイスＢ１０３は、例えばＨＤＤで実現され、例えば、最高記録レート２４Ｍｂｐｓの性能を有している。記録デバイスＢ１０３は、デバイスＩＤとして、ＢＢＢＢで識別される。
【００２３】
記録デバイスＢ１０３は、第２暗号部１１４で暗号化されたコンテンツを記録メディアｂ１０４に録画する。
記録メディアｂ１０４は、例えば、記録デバイスＢ１０３に固定的に設けられたＨＤで実現される。記録メディアｂ１０４には、メディアＩＤとして、ｂｂｂｂが付されている。
【００２４】
デバイス情報記憶部１０５には、自装置に搭載された記録デバイスの機器情報が記憶されており、ＲＯＭ等で構成される。
図２は、デバイス情報記憶部１０５に記憶されているデバイス情報の一例を示す図である。デバイス情報２０１には、記録デバイス欄２０２と機器（デバイス）ＩＤ欄２０３と最高記録レート欄２０４と種類欄２０５とが設けられている。
【００２５】
記録デバイス欄２０２には、自装置に搭載された記録デバイス名が記載され、機器ＩＤ欄２０３には、その識別子が記載されている。最高記録レート欄２０４には、その記録デイバスの性能が記録されている。種類欄２０５には、記録デバイスの種類が記載されている。
なお、このデバイス情報２０１は、本装置に記録デバイスＡ１０１、記録デバイスＢ１０３が組み込まれた後に、予め記憶されている。
【００２６】
メディア情報抽出部１０６は、記録デバイスＡ１０１に記録メディアａ１０２が装着された際、記録デバイスＢ１０３に記録メディアｂ１０４が装着された際、又は記録メディアａ１０２、記録メディアｂ１０４にコンテンツが録画された際に、記録メディアａ１０２、記録メディアｂ１０４からメディア情報を抽出する。抽出したメディア情報は、メディア情報記憶部１０７に記録される。
【００２７】
メディア情報抽出部１０６は、記録メディアａ１０２又は記録メディアｂ１０４が装着されたとき、記録メディアａ１０２又は記録メディアｂ１０４のセキュアな領域に記録されたメディアＩＤを抽出し、更に記録メディアの種類と、記憶容量とを抽出する。
また、記録メディアａ１０２又は記録メディアｂ１０４にコンテンツが録画されたときには、各記録メディアの残容量を抽出し、メディア情報記憶部１０７に記録された残容量を更新記録する。
【００２８】
更に、録画されたコンテンツ情報を取得して、履歴情報記憶部１０８に記録メディアごとに記録する。
このコンテンツ情報には、コンテンツを録画した記録日時とチャネル番号と番組名と記録レートとが含まれる。
メディア情報抽出部１０６は、着脱された記録メディアａ１０２が再度記録デバイスＡ１０１に装着された場合に、履歴情報記憶部１０８に記憶された履歴情報に記録メディアａ１０２で録画されたコンテンツと同一のコンテンツが記録メディアｂ１０４に録画されているとき、制限情報として記載された再生、編集不可を削除する。これによって、記録メディアｂ１０４に録画されたコンテンツ再生等をすることが可能になる。記録メディアａ１０２のコンテンツの記録レートが記録メディアｂ１０４のコンテンツの記録レートよりも低レートであっても、再度、記録メディアａ１０２に録画されたコンテンツを記録メディアｂ１０４に記録し直すことがないので、高品質画像の記録メディアｂ１０４のコンテンツをそのまま利用することができる。
【００２９】
メディア情報記憶部１０７は、ＲＡＭ等で構成され、メディア情報を記憶している。
図３は、メディア情報記憶部１０７に記憶されているメディア情報の一例を示す図である。メディア情報３０１には、記録デバイス欄３０２と装着メディア欄３０３とメディアＩＤ欄３０４と残量欄３０５とが設けられている。
記録デバイス欄３０２には、記録メディアが装着された記録デバイス名が記録されている。装着メディア欄３０３には、記録メディアの種類が記載されている。メディアＩＤ欄３０４には、記録メディアを識別するメディアＩＤが記録されている。残量欄３０５には、記録メディアの未記録領域の容量を示す残容量が記録されている。
【００３０】
履歴情報記憶部１０８は、ＲＡＭ等で構成され、記録メディアａ１０２、記録メディアｂ１０４に録画されたコンテンツ情報が記録されている。
図４（ａ）は、履歴情報記憶部１０８に記憶されている履歴情報の一例を示す図である。履歴情報４０１には、記録デバイス欄４０２とメディアＩＤ欄４０３とコンテンツ情報欄４０４とが設けられている。
【００３１】
記録デバイス欄４０２には、記録メディアが装着されている記録デバイス名が記載されており、メディアＩＤ欄４０３には、記録メディアのメディアＩＤが記載されている。
コンテンツ情報欄４０４には、録画したコンテンツの記録日時とコンテンツが放送されたチャネル番号と番組名とコンテンツのストリームデータの記録レートとからなるコンテンツを識別するコンテンツ情報が記載されている。
【００３２】
なお、この履歴情報４０１には、本装置に現在装着されている記録メディアａ１０２と記録メディアｂ１０４とだけの履歴情報が記載されているけれども、例えば、記録デバイスＡ１０１に過去に装着されてコンテンツが録画された記録メディアがあれば、その履歴情報も記載されている。
図４（ｂ）は、記録メディアａ１０２が記録デバイスＡ１０１から着脱されたときの履歴情報を示している。履歴情報４０１には、制限情報欄４０５が追加され、記録メディアａ１０２で録画されたコンテンツの番組名「ｎｅｗｓ２」と同一の記録メディアｂのコンテンツに再生、編集不可が記載されている。この制限情報に再生、編集不可が記載されているコンテンツは、このコンテンツ録画装置で、利用者が再生や編集をしようとしても再生や編集が禁止される。
【００３３】
記録メディアａ１０２が再度記録デバイスＡに装着されると、上述のようにメディア情報抽出部１０６によって、この制限が削除されるので、記録デバイスＢ１０３に装着された記録メディアｂ１０４のコンテンツの番組名「ｎｅｗｓ２」の再生又は編集が可能となる。
コンテンツＩＤ生成部１０９は、レート変換部１１１に起動されると、デバイス情報記憶部１０５に記憶された記録デバイスＡ１０１のデバイスＩＤと、メディア情報記録部１０７に記憶されている記録メディアａ１０２のメディアＩＤとを読み出し、コンテンツＩＤを生成し、生成したコンテンツＩＤを記録デバイスＡ１０１に対応する第１暗号部１１３に通知する。同様に、デバイス情報から記録デバイスＢ１０３のデバイスＩＤと、メディア情報から記録メディアｂ１０４のメディアＩＤとを読み出し、コンテンツＩＤを生成し、生成したコンテンツＩＤを記録デバイスＢ１０３に対応する第２暗号部１１４に通知する。即ち、第１暗号部１１３と第２暗号部１１４に通知されるコンテンツＩＤは異なる。
【００３４】
入力部１１０は、受信した又は取得したコンテンツのストリームデータのコピー制御情報がｃｏｐｙ  ｏｎｅ  ｇｅｎｅｒａｔｉｏｎかそれ以外かを判定する。ｃｏｐｙ  ｏｎｅ  ｇｅｎｅｒａｔｉｏｎと判定したとき、ストリームデータをレート変換部１１１に入力する。
レート変換部１１１は、コンテンツのストリームデータの入力を受けると、コンテンツＩＤ生成部１０９を起動する。
【００３５】
レート変換部１１１は、デバイス情報記憶部１０５に記憶された記録デバイスＡ１０１と記録デバイスＢ１０３との最高記録レートを読み出し、入力されたストリームデータの入力レートと比較し、入力レートが最高記録レートを超えるか否かを判定する。例えば、ストリームデータの入力レートが２２Ｍｂｐｓであれば、記録デバイスＡ１０１の最高記録レートの２倍となるので、記録デバイスＡ１０１に対応して設けられた第１暗号部１１３に入力レートを１１Ｍｂｐｓに変換して入力する。記録デバイスＢ１０３の最高記録レートは２４Ｍｂｐｓであるので、入力レート２２Ｍｂｐｓのまま対応して設けられた第２暗号部１１４に入力する。
【００３６】
また、受付部１１５から指定された記録デバイス名と録画時間との通知を受けると、メディア情報記憶部１０７に記憶されたメディア情報から当該記録デバイスに装着された記録メディアの残量ＲＭＢを取得する。ストリームデータの入力レートＩＭｂｐｓとし、録画時間をＴ分とする。
Ｒ≧（Ｉ×Ｔ×６０）／８
であれば、そのままの入力レートで指定された記録デバイスに対応して設けられた第１又は第２暗号部１１３、１１４にストリームデータを入力する。
【００３７】
例えば、入力レートが８Ｍｂｐｓであり、記録メディアａ１０２の残容量が２００ＭＢであり、録画時間が１０分であるとき、レート変換部１１は、Ｉ＝８、Ｔ＝１０を式（１）に代入する。必要な記録メディアの容量Ｒ´ＭＢは、
Ｒ´＝（Ｉ×Ｔ×６０）／８      ・・・・（１）
Ｒ´＝６００  となる。
【００３８】
Ｒ´はＲ＝２００より大きいので第１暗号部１１３への入力レートＩ´＝Ｉ×Ｒ／Ｒ´となるよう調整する。即ち、入力レート８／３Ｍｂｐｓで第１暗号部１１３にストリームデータを出力する。これによって、記録メディアａ１０２の未記録領域に録画時間１０分で入力されたコンテンツをすべて記録することができる。ただし、入力レートを遅くしたことから画質は低下している。
【００３９】
暗号化部１１２は、記録デバイスＡ１０１と記録デバイスＢ１０３とに対応してそれぞれ設けられた第１暗号部１１３と第２暗号部１１４とを有する。
第１暗号部１１３は、コンテンツＩＤ生成部１０９から通知されたコンテンツＩＤから暗号鍵を生成し、レート変換部１１１から入力されたコンテンツのストリームデータを暗号鍵で暗号化する。暗号化されたコンテンツを記録デバイスＡ１０１へ出力する。
【００４０】
第２暗号部１１４は、同様にコンテンツＩＤ生成部１０９から通知されたコンテンツＩＤから暗号鍵を生成し、レート変換部１１１から入力されたコンテンツのストリームデータを暗号鍵で暗号化する。暗号化されたコンテンツを記録デバイスＢ１０３へ出力する。
なお、第１暗号部１１３に通知されるコンテンツＩＤは、デバイスＩＤ「ＡＡＡＡ」とメディアＩＤ「ａａａａ」とから生成されたものであり、第２暗号部１１４に通知されるコンテンツIDはデバイスID「ＢＢＢＢ」とメディアＩＤ「ｂｂｂｂ」とから生成されたものであるので、第１暗号部１１３と第２暗号部１１４とで用いられるコンテンツＩＤは異なる。したがって生成される暗号鍵も第１暗号部１１３と第２暗号部１１４とでは異なる。
【００４１】
受付部１１５は、表示部（図示せず）に表示したメニュー画面でユーザ操作を受け付ける。受付部１１５は、ユーザから記録デバイス名と録画時間との指定を受け付けると、レート変換部１１１にその旨を通知する。
受付部１１５は、着脱する記録メディアａ１０２の指定を受けると、履歴情報記憶部１０８に記憶されている履歴情報４０１を検索し、記録メディアａ１０２のメディアＩＤ「ａａａａ」に記録されたコンテンツ情報と一致するコンテンツ情報が他のメディアＩＤ「ｂｂｂｂ」にあるか否かを判定する。なければ、制御部（図示せず）に記録メディアａの着脱を指示する。
【００４２】
一致するコンテンツ情報がメディアＩＤ「ｂｂｂｂ」に記録されているときには、制限情報４０５として当該コンテンツに再生、編集不可を記録する。
これによって、記録メディアａ１０２が着脱された後、このコンテンツ録画装置の記録メディアｂ１０４に残された同一コンテンツの再生等は、制御部によって禁止される。録画されたコンテンツのコピー制御情報であるｃｏｐｙ  ｏｎｅ  ｇｅｎｅｒａｔｉｏｎが実質的に担保され、著作権は保護されることになる。
【００４３】
次に、本実施の形態の動作を図５から図８のフローチャートを用いて説明する。
図５は、コピー制御情報がｃｏｐｙ  ｏｎｅ  ｇｅｎｅｒａｔｉｏｎの際のコンテンツの録画動作を説明するフローチャートである。
先ず、メディア情報抽出部１０６は、記録デバイスＡ１０１と記録デバイスＢ１０３とにそれぞれ記録メディアａ１０２と記録メディアｂ１０４とが装着されると、記録メディアａ１０２と記録メディアｂ１０４とに記載されたメディアＩＤと記憶容量とを抽出し（Ｓ５０２）、メディア情報としてメディア情報記憶部１０７に記載する（Ｓ５０４）。
【００４４】
入力部１１０は、受信された又は取得されたコンテンツの入力を受けると、コピー制御情報がｃｏｐｙ  ｏｎｅ  ｇｅｎｅｒａｔｉｏｎか否かを判定する（Ｓ５０６）。ｃｏｐｙ  ｏｎｅ  ｇｅｎｅｒａｔｉｏｎ以外であれば、コピー禁止又はコピー自由な処理をする。なお、この処理に関しては、本発明の主題ではないので説明を省略する（Ｓ５０８）。
【００４５】
ｃｏｐｙ  ｏｎｅ  ｇｅｎｅｒａｔｉｏｎと判定したとき、入力部１１０は、コンテンツのストリームデータをレート変換部１１１に出力する。
レート変換部１１１は、コンテンツＩＤ生成部１０９を起動する。コンテンツＩＤ生成部１０９はデバイス情報記憶部１０５に記憶されている記録デバイスＡ１０１のデバイスＩＤ「ＡＡＡＡ」と記録デバイスＢ１０３デバイスＩＤ「ＢＢＢＢ」とを取得し、メディア情報記憶部１０７に記憶されている記録メディアａ１０２のメディアＩＤ「ａａａａ」と記録メディアｂ１０４のメディアＩＤ「ｂｂｂｂ」とを取得する（Ｓ５１０）。記録デバイスＡ１０１と記録デバイスＢ１０３とで用いられるコンテンツＩＤをデバイスＩＤとメディアＩＤとから生成し、第１暗号部１１３と第２暗号部１１４とにそれぞれ通知する（Ｓ５１２）。
【００４６】
レート変換部１１１は、入力されたコンテンツのストリームデータの入力レートがデバイス情報記憶部１０５に記憶された各記録デバイスＡ１０１、Ｂ１０４の最高記録レートを超えるか否かを判定する（Ｓ５１４）。超えると判定された記録デバイスがあれば、その記録デバイスへ暗号化部１１２を介して入力するストリームデータの入力レートをその記録デバイスの最高記録レートに変換する（Ｓ５１６）。
【００４７】
レート変換部１１１は、記録デバイスＡ１０１と記録デバイスＢ１０３とにそれぞれ対応する第１暗号部１１３と第２暗号部１１４とに同時に並列でＳ５１６で変換された入力レート又はそのままの入力レートでストリームデータを入力する（Ｓ５１８）。
第１暗号部１１３は、入力されたコンテンツのストリームデータをコンテンツＩＤ生成部１０９で生成され通知されたコンテンツＩＤから生成した暗号鍵で暗号化し、第２暗号部１１４は、同様に入力されたコンテンツのストリームデータを通知されたコンテンツＩＤから生成した暗号鍵で暗号化する（Ｓ５２０）。
【００４８】
記録デバイスＡ１０１は、第１暗号部１１３で暗号化されたコンテンツを記録メディアａ１０２に記録し、記録デバイスＢ１０３は、第２暗号部１１４で暗号化されたコンテンツを記録メディアｂ１０４に記録する（Ｓ５２２）。
メディア情報抽出部１０６は、記録メディアａ１０２と記録メディアｂ１０４にコンテンツの録画が終了すると、履歴情報記憶部１０８に、記録デバイス名と、メディアＩＤと録画したコンテンツを識別するコンテンツ情報とを履歴情報として記録する。併せて、メディア情報記憶部１０７に記憶されているメディア情報の残量欄３０５を更新する（Ｓ５２４）。
【００４９】
図６は、ユーザが指定した記録デバイスに装着された記録メディアの未記録領域に入力されるコンテンツを録画する場合の動作を説明するフローチャートである。指定された記録デバイスと異なる記憶デバイスは、図５に示した処理が行われる。また、図５で説明した内容と重複する部分についての説明は省略している。
先ず、受付部１１５が記録デバイスＡ１０１か記録デバイスＢ１０３のいずれかと、録画時間の指定を受け付けると（Ｓ６０２）、レート変換部１１１に記録デバイスＡ１０１又は記録デバイスＢ１０３のいずれかと録画時間とを通知する。
【００５０】
レート変換部１１１は、通知された記録デバイスに装着された記録メディアの残容量をメディア情報記憶部１０７から取得する（Ｓ６０４）。
入力されているコンテンツのストリームデータの入力レートで記録メディアに記録できるか計算して判定する（Ｓ６０６）。
記録できないと判定したときは、ストリームデータの入力レートを調整した入力レートに変換して、指定された記録デバイスに対応する暗号化部１１２に入力する（Ｓ６０８）。記録できると判定したときは、指定された記録デバイスに対応する暗号化部１１２にそのままの入力レートでストリームデータを入力する（Ｓ６１０）。
【００５１】
第１暗号部１１３又は第２暗号部１１４は、入力されたコンテンツをコンテンツＩＤから生成した暗号鍵で暗号化する（Ｓ６１２）。
暗号化されたコンテンツは、指定された記録デバイスＡ１０１又は記録デバイスＢ１０３で記録メディアａ１０２又は１０４に録画される（Ｓ６１４）。
次に、記録メディアａの着脱の動作について図７のフローチャートを用いて説明する。
【００５２】
なお、本実施の形態では、記録デバイスが２つの場合について説明しており、また、着脱可能な記録メディアが記録メディアａであることとしているけれども、記録デバイスの数が３以上の場合であってもよく、着脱可能な記録デバイスが２以上であってもよい。記録デバイスが例えば４つあれば、暗号化部１１２には、第３暗号部と第４暗号部が更に設けられることになる。このフローチャートでは、着脱可能な記録メディアが複数あるとして説明している。
【００５３】
先ず、コンテンツ録画装置の全体を制御している制御部（図示せず）は、いずれかの記録メディアに記録されたコンテンツを再生又は編集中か否かを判定する（Ｓ７０２）。
再生又は編集中でないと判定されたとき、受付部１１５は、着脱する記録メディアの指定を受け付ける（Ｓ７０４）。受付部１１５は、履歴情報記憶部１０８に記憶された履歴情報を検索し、当該記録メディアに録画されたコンテンツと同一コンテンツが他の記録メディアに録画されているか否かを判定する（Ｓ７０６）。
【００５４】
受付部１１５は、他の記録メディアに録画されていると判定したときは、当該他の記録メディアの当該コンテンツの再生又は編集不可を履歴情報に制限情報として記録する（Ｓ７０８）。
その後、又は他の記録メディアに同一コンテンツが録画されていないと判定されたとき、指定された記録メディアの着脱が行われ（Ｓ７１０）、処理を終了する。
【００５５】
Ｓ７０２において、コンテンツの再生又は編集が行われている場合には、制御部（図示せず）は、履歴情報記憶部１０８に記憶されている履歴情報を検索し、他の記録メディアで同一のコンテンツの録画がされているか否かを判定し（Ｓ７１２）、録画されていなければ処理を終了し、同一コンテンツの録画がされているときには、録画がされている当該他の記録メディアの着脱を不可とし（Ｓ７１４）、再生又は編集が終了したとき（Ｓ７１６）、当該他の記録メディアの着脱を可として、処理を終了する。
【００５６】
次に、一旦、コンテンツ録画装置から着脱された記録メディアがコンテンツ録画装置に再度装着されたときの動作を図８のフローチャートを用いて説明する。
記録デバイスＡ１０１に記録メディアａ１０２が装着されるのを待ち（Ｓ８０２）、メディア情報抽出部１０６は、履歴情報記憶部１０８に記憶された履歴情報を検索し、当該記録メディアａ１０２のメディアＩＤ「ａａａａ」に録画されたコンテンツと同一コンテンツが他の記録メディアｂ１０４のメディアＩＤ「ｂｂｂｂ」に録画されているか否かを判定する（Ｓ８０４）。録画されているときには、メディアＩＤ「ｂｂｂｂ」の当該コンテンツに付された制限情報である再生、編集不可を可に変更、即ち、制限情報の再生、編集不可を削除して（Ｓ８０６）、処理を終了する。Ｓ８０４において、同一コンテンツが他の記録メディアに録画されていないときも、そのまま処理を終了する。
【００５７】
なお、上記実施の形態では、図１にその構成図を示したけれども、各構成要素の機能をコンピュータに発揮させるプログラムで実現するようしてもよいのは勿論である。
【産業上の利用可能性】
【００５８】
本発明に係るコンテンツ録画装置は、地上波デジタルＴＶ放送の受信装置等に搭載され、家電製造業界で利用される。
【図面の簡単な説明】
【００５９】
【図１】本発明に係るコンテンツ録画装置の一実施の形態の構成図である。
【図２】上記実施の形態のデバイス情報記憶部に記憶されたデバイス情報の一例を示す図である。
【図３】上記実施の形態のメディア情報記憶部に記憶されたメディア情報の一例を示す図である。
【図４】（ａ）は上記実施の形態の履歴情報記憶部に記憶された履歴情報の一例を示す図である。（ｂ）は、記録メディアが着脱されて制限情報が追加された履歴情報の一例を示す図である。
【図５】上記実施の形態の動作を示すフローチャート（その１）である。
【図６】上記実施の形態の動作を示すフローチャート（その２）である。
【図７】上記実施の形態の動作を示すフローチャート（その３）である。
【図８】上記実施の形態の動作を示すフローチャート（その４）である。
【符号の説明】
【００６０】
１０１  記録デバイスＡ
１０２  記録メディアａ
１０３  記録デバイスＢ
１０４  記録メディアｂ
１０５  デバイス情報記憶部
１０６  メディア情報抽出部
１０７  メディア情報記憶部
１０８  履歴情報記憶部
１０９  コンテンツＩＤ生成部
１１０  入力部
１１１  レート変換部
１１２  暗号化部
１１３  第１暗号部
１１４  第２暗号部
１１５  受付部
【図１】
2006115125.tif 000003
【図２】
2006115125.tif 000004
【図３】
2006115125.tif 000005
【図４】
2006115125.tif 000006
【図５】
2006115125.tif 000007
【図６】
2006115125.tif 000008
【図７】
2006115125.tif 000009
【図８】
2006115125.tif 000010